(57)【特許請求の範囲】
【請求項１】
戸枠（１）と戸本体（２）との間に、戸本体（２）を閉じ操作する自動閉止装置（５）と、開放途中状態の戸本体（２）を自動閉止装置（５）の閉じ操作力に抗して開放保持する途中停止装置（Ｓ）と、途中停止装置（Ｓ）の途中停止機能を無効化し、あるいは有効な状態へ復帰切り換えする切換装置（Ｔ）が設けてある自動閉止式の引戸であって、
途中停止装置（Ｓ）は、戸本体（２）の開閉移行に伴って随伴回転する摩擦ローラ（２１）と、摩擦ローラ（２１）に外接するガイドレール（３）の転動面（２２）と、転動面（２２）と対向配置されて、摩擦ローラ（２１）の転動軌跡の中途部に狭隘部（Ｇ）を形成する摩擦体（２３）と、摩擦ローラ（２１）および摩擦体（２３）を収容するハウジング（２０）とを有し、
摩擦ローラ（２１）を支持する軸（２４）は、ハウジング（２０）の前後壁に設けたガイド溝（２５）と、ガイド溝（２５）の左右両端に設けた上り傾斜状の逃げ溝（２６）に沿って左右移動でき、
摩擦体（２３）はばね腕（２９）を有し、摩擦ローラ（２１）とばね腕（２９）と転動面（２２）との三者間の摩擦作用によって、戸本体（２）を任意の開放位置において停止保持できるよう構成されており、
切換装置（Ｔ）は、ハウジング（３４）と、ハウジング（３４）で上下スライド自在に案内支持されて、上方の作動位置と下方の待機位置との間をスライドする作動体（３５）と、
作動体（３５）を上方の作動位置へ向かって押し上げ付勢するばね（３６）と、
作動体（３５）に固定される切換具（３８）と、
作動体（３５）をばね（３６）の付勢力に抗して下方の待機位置においてロック保持するロック機構（３９）と、
作動体（３５）をばね（３６）の押し上げ力に抗して引き下げ操作する操作体（４０）とを備えており、
切換具（３８）は、作動体（３５）の上面に固定されるベース壁（４６）と、途中停止装置（Ｓ）のハウジング（２０）を前後から挟むように配置される前後一対の操作腕（４７）とを備えており、
前記操作腕（４７）の水平の腕部上面に、摩擦ローラ（２１）を転動面（２２）から分離操作する山形のカム（４８）が設けられており、
作動体（３５）を操作体（４０）で作動位置に切り換え操作した状態において、操作腕（４７）のカム（４８）が摩擦ローラ（２１）の軸（２４）に接当して、摩擦ローラ（２１）をガイド溝（２５）の側端の逃げ溝（２６）において保持固定し、ローラー周面が転動面（２２）から分離操作されて、途中停止装置Ｓの途中停止機能を無効化できるよう構成されており、
作動体（３５）を操作体（４０）で待機位置に切り換え操作した状態において、操作腕（４７）はガイド溝（２５）より下方に位置していて、途中停止装置（Ｓ）の途中停止機能を有効化できるよう構成してあることを特徴とする自動閉止式の引戸。
【請求項２】
ロック機構（３９）が、ハウジング（３４）に装着される取付ベース（５０）と、
取付ベース（５０）にピン（５１）で揺動可能に、しかも爪上端が取付ベース（５０）から離れる向きに前後傾動可能に軸支されるロック爪（５２）と、
ロック爪（５２）を揺動付勢するキックばね（５３）と、
作動体（３５）に固定される係止ピン（５４）とで構成されており、
ロック爪（５２）は、上縁にカム面（６１）と、カム面（６１）の下端に連続して係止ピン（５４）の入り込みを許す係合溝（６２）を有し、
係合溝（６２）の奥端に、係止ピン（５４）をもぐりこみ案内する誘導片（６３）が、斜め下向きに折り起こし形成されており、
ロック機構（３９）が、作動体（３５）を操作体（４０）で引き下げ操作する毎に、作動体（３５）をロック保持するロック姿勢と、作動体（３５）のロックを解除するロック解除姿勢とに、循環的に切り換わるように構成してある請求項１に記載の自動閉止式の引戸。
【請求項３】
切換装置（Ｔ）が、途中停止装置（Ｓ）に一体に組み込んである請求項１または２に記載の自動閉止式の引戸。  
【発明の詳細な説明】
【０００１】
【発明の属する技術分野】
この発明は、途中停止装置と、途中停止装置を作動状態と非作動状態とに切り換える切換装置とを備えている自動閉止式（以下単に自閉式と言う）の引戸に関する。
【０００２】
【従来の技術】
自閉式引戸においては、開き操作した戸本体を自動的に閉じ位置へ戻すことができるが、戸本体を全開位置や開放途中位置において、閉じ移動不能に停止保持するために、戸本体とレールとの間に途中停止装置を設けることがある。この種の装置は特開平１０−１５９４３６号公報、特開平７−５４５３７号公報、特公平８−９９３２号公報等にみることができる。
【０００３】
【発明が解決しようとする課題】
途中停止装置によって戸本体を任意の開放位置で停止保持することにより、例えば病院等において、車椅子やストレッチャーの通行時に、戸本体を開き保持しておく手間を省くことができる。しかし、途中停止装置が付加された自閉式引戸は、戸本体を開放操作する毎に途中停止機能が発揮されるのを避けられない。つまり、戸本体を開放保持する必要がない場合であっても、戸本体が開放位置に停止保持され、自閉式引戸の本来的な機能である、自動閉止作用が損なわれてしまう。そのため、状況によっては戸本体を開放操作する毎に、戸本体を途中停止装置の停止保持力に抗して閉じ操作しなければならない。
【０００４】
この発明の目的は、途中停止装置を備えている自閉式引戸において、途中停止装置を作動状態と非作動状態とに切り換えられるようにし、これにより戸本体を任意の開放位置において開き保持し、あるいは必要に応じて自動閉止できるようにし、この種の自閉式引戸の便利さを向上することにある。この発明の目的は、簡単な操作で途中停止装置を作動状態と非作動状態とに循環的に切り換えることができ、従って車椅子に座った状態のままでも、途中停止装置の状態の切り換えを簡単にしかも容易に行える、途中停止装置と切換装置とを備えている自閉式の引戸を提供することにある。
【０００５】
【課題を解決するための手段】
この発明の自閉式引戸は、  戸枠１と戸本体２との間に、戸本体２を閉じ操作する自動閉止装置５と、開放途中状態の戸本体２を自動閉止装置５の閉じ操作力に抗して開放保持する途中停止装置Ｓと、途中停止装置Ｓの途中停止機能を無効化し、あるいは有効な状態へ復帰切り換えする切換装置Ｔが設けてある。途中停止装置Ｓは、戸本体２の開閉移行に伴って随伴回転する摩擦ローラ２１と、摩擦ローラ２１に外接するガイドレール３の転動面２２と、転動面２２と対向配置されて、摩擦ローラ２１の転動軌跡の中途部に狭隘部Ｇを形成する摩擦体２３と、摩擦ローラ２１および摩擦体２３を収容するハウジング２０とを有する。摩擦ローラ２１を支持する軸２４は、ハウジング２０の前後壁に設けたガイド溝２５と、ガイド溝２５の左右両端に設けた上り傾斜状の逃げ溝２６に沿って左右移動できる。摩擦体２３はばね腕２９を有し、摩擦ローラ２１とばね腕２９の狭隘部Ｇと転動面２２との三者間の摩擦作用によって、戸本体２を任意の開放位置において停止保持できるよう構成されている。切換装置Ｔは、ハウジング３４と、ハウジング３４で上下スライド自在に案内支持されて、上方の作動位置と下方の待機位置との間をスライドする作動体３５と、作動体３５を上方の作動位置へ向かって押し上げ付勢するばね３６と、作動体３５に固定される切換具３８と、作動体３５をばね３６の付勢力に抗して下方の待機位置においてロック保持するロック機構３９と、作動体３５をばね３６の押し上げ力に抗して引き下げ操作する操作体４０とを備えている。切換具３８は、作動体３５の上面に固定されるベース壁４６と、途中停止装置Ｓのハウジング２０を前後から挟むように配置される前後一対の操作腕４７とを備えている。前記操作腕４７の水平の腕部上面に、摩擦ローラ２１を転動面２２から分離操作する山形のカム４８を設ける。作動体３５を操作体４０で作動位置に切り換え操作した状態において、操作腕４７のカム４８が摩擦ローラ２１の軸２４に接当して、摩擦ローラ２１をガイド溝２５の側端の逃げ溝２６において保持固定し、ローラー周面が転動面２２から分離操作されて、途中停止装置Ｓの途中停止機能を無効化できるよう構成されている。作動体３５を操作体４０で待機位置に切り換え操作した状態において、操作腕４７はガイド溝２５より下方に位置していて、途中停止装置Ｓの途中停止機能を有効化できるよう構成してあることを特徴とする。
【０００６】
ロック機構３９は、ハウジング３４に装着される取付ベース５０と、取付ベース５０にピン５１で揺動可能に、しかも爪上端が取付ベース５０から離れる向きに前後傾動可能に軸支されるロック爪５２と、ロック爪５２を揺動付勢するキックバネ５３と、作動体３５に固定される係止ピン５４とで構成する。ロック爪５２は、上縁にカム面６１と、カム面６１の下端に連続して係止ピン５４の入り込みを許す係合溝６２を有し、係合溝６２の奥端に、係止ピン５４をもぐりこみ案内する誘導片６３を、斜め下向きに折り起こし形成する。ロック機構３９は、作動体３５を操作体４０で引き下げ操作する毎に、作動体３５をロック保持するロック姿勢と、作動体３５のロックを解除するロック解除姿勢とに、循環的に切り換わるように構成する。
【００１１】
切換装置Ｔは、途中停止装置Ｓに一体に組み込む。
【００１２】
【作用および発明の効果】
途中停止装置Ｓを切換装置Ｔで作動姿勢に切り換えた状態においては、途中停止装置Ｓで戸本体２を開放途中位置において停止保持でき、従って、車椅子やストレッチャーの通行時に戸本体２を開き保持しておく手間を省ける。途中停止装置Ｓを非作動姿勢に切り換えた状態においては、その途中停止機能が無効化されるので、戸本体２を開き操作した後、操作力を解放すると、戸本体２は自動閉止装置５によって自動的に閉じ操作される。従って、この発明の自閉式の引戸によれば、状況に応じて切換装置Ｔを切り換え操作するだけで、戸本体２を任意の開放位置で開き保持したり、自動的に閉じ復帰させることが可能となり、途中停止装置を備えている従来の自閉式の引戸に比べて、戸本体２を開閉する際の手間を省き、自閉式の引戸の便利さを向上できる。
【００１３】
途中停止装置Ｓを作動姿勢と非作動姿勢とに切り換える実施形態としては、途中停止装置Ｓの全体を切換装置Ｔで切り換え操作する形態と、摩擦ローラ２１あるいは摩擦体２３のいずれか一方を切換装置Ｔで切り換え操作する形態とがある。前者形態を採る場合には、途中停止装置Ｓを作動位置と非作動位置とに変位させるための支持構造が必要になるが、途中停止装置Ｓの構造の違いや作動原理の違いに左右されることなく、全ての途中停止装置Ｓに適用できる点で有利である。
【００１４】
また、後者形態を採る場合には、摩擦ローラ２１あるいは摩擦体２３のみを変位操作すればよいので、設置スペースが狭少である場合にも、切換装置Ｔを問題なく適用できる。とくに摩擦ローラ２１を切換対象とする場合には、それを転動面２２から分離操作することで途中停止装置Ｓの機能を無効化できるので、他の場合に比べて切換装置Ｔを容易に小形化できる。既存の途中停止装置Ｓであっても、摩擦ローラ２１やその中心軸等を交換するだけで、切換装置Ｔを容易に付加できる。
【００１５】
作動体３５と、摩擦ローラ２１を分離操作する切換具３８と、作動体３５を介して切換具３８を切り換え操作する操作体４０を含む切換装置Ｔによれば、操作体４０を操作するだけで途中停止装置Ｓの停止機能を無効化し、あるいは有効な状態へ復帰させることができる。さらに、この切換装置Ｔにロック機構３９を付加すると、作動状態と非作動状態のいずれか一方の状態をロック保持できるので、切り換え操作を簡便化できる。
【００１６】
上記のロック機構３９が、ロック姿勢とロック解除姿勢とに循環的に切り換わるように構成してある切換装置Ｔによれば、操作体４０の操作方向を一定に揃えて、切り換え操作を単純化できるので、例えば車椅子に座った状態のままでも、切換装置Ｔを簡単にしかも容易に切り換えることができる。
【００１７】
切換装置Ｔを途中停止装置Ｓと一体化すると、両装置Ｓ・Ｔを個別に設ける場合に比べて、構成部品点数を減らして、その分だけ製造に要するコストを減少できる。一体化することによって、不必要な余裕隙間や遊び等を排除できるので、切換装置Ｔの動作の信頼性を向上できる利点もある。
【００１８】
【実施例】
図１ないし図１２は、この発明に係る自閉式引戸の実施例を示す。図２において符号１は戸枠、２は戸本体である。戸本体２は、戸枠１の上枠部に固定したガイドレール３にランナー４を介して吊持されており、ガイドレール３に沿って左右方向に開け閉めできる。開放操作された戸本体２を自動的に閉じ操作するために、先の上枠部と戸本体２との間に自動閉止装置５を設けてある。さらに開放途中状態の戸本体２を、自動閉止装置５の閉じ操作力に抗して開放状態に保持し続けるために、戸本体２と戸枠１との間に途中停止装置Ｓが設けられている。
【００１９】
自動閉止装置５は、戸本体２を閉じ側へ向かって移動付勢する定トルク型のばねユニット６と、戸本体２の閉じ方向への移動速度を減速して緩やかに閉止移動させるためのダンパー７とを主要素にしている。ばねユニット６は戸枠１の閉じ端側に固定し、そのケースから引き出したばね材６ａの端をランナー４に固定する。ダンパー７は戸枠に固定してあり、その外面に軸支したピニオン８を戸本体２に固定したラック９で回転駆動することにより、戸本体２が閉じ方向へ移動する状態においてのみ戸本体２を制動する。詳しくは、ダンパー７は、ギヤポンプの吸引口と吐出口とを循環通路１０を介して連通し、循環通路１０の中途部に絞り弁１１を配置して構成してある。先のピニオン８とギヤポンプの入力軸との間には、ワンウェイクラッチが介装してあり、これにより、戸本体２を開き操作するときは、ピニオン８が遊転してギヤポンプが作動しないようになっている。
【００２０】
図３において途中停止装置Ｓは、下向きに開口する横長角箱状のハウジング２０と、ハウジング２０内に収容される摩擦ローラ２１と、摩擦ローラ２１を転動案内するガイドレール３の転動面２２と、転動面２２と対向配置されて、摩擦ローラ２１の転動軌跡の中途部に狭隘部Ｇを形成する摩擦体２３などで構成する。ハウジング２０は戸本体２に固定した図６のブラケット１６に装着される。
【００２１】
摩擦ローラ２１は、前後縁にフランジが張り出してあるプラスチック製のローラからなり、ハウジング２０の前後壁で軸２４を介して遊転自在に支持されている。軸２４は摩擦ローラ２１に対して相対回転不能に固定しておく。摩擦ローラ２１の左右転動を許すために、ハウジング２０の前後壁に左右横長のガイド溝２５を水平に設け、この溝２５で軸２４を案内支持している。軸２４の前後端は、ガイド溝２５の前後に突出している。ガイド溝２５の左右両端には、それぞれ上り傾斜する逃げ溝２６を設ける。
【００２２】
摩擦体２３は、基端ブロック２８の一側から逆へ字状のばね腕２９を突設したプラスチック成形品からなる。基端ブロック２８は、ハウジング２０で上下動のみスライド自在に案内支持されていて、ハウジング２０の上面側からねじ込んだ調整ねじ３０で上下方向に位置調整できる。さらに、ばね腕２９の突端上面を受け止めてばね力を調整するねじ３１が、ハウジング２０の上壁に設けられている。
【００２３】
戸本体２が閉じ位置にあるとき、摩擦ローラ２１は図３に示すように、その軸２４がガイド溝２５の開端側に位置している。この状態で戸本体２を開き操作すると、ハウジング２０は戸本体２と同行移動するが、摩擦ローラ２１は元の位置に取り残され、その結果、ローラ周面がばね腕２９で受け止められる。さらに戸本体２を開き操作すると、摩擦ローラ２１がばね腕２９を上方へ弾性変形させながら、ばね腕２９とガイドレール３との間の狭隘部Ｇをくぐり抜け、図４に示すようにガイド溝２５の閉端側へ相対移動する。
【００２４】
必要な量だけ戸本体２を開放して手を離すと、戸本体２は自動閉止装置５の閉じ操作力を受けて閉じ端側へ移動する。この動きによって、摩擦ローラ２１は再びばね腕２９の狭隘部Ｇに押し付けられ、ばねユニット６による閉じ力と、ばね腕２９の変形反力とが均衡する状態において停止する。このときの摩擦ローラ２１と、摩擦体２３と、転動面２２との三者間の摩擦作用によって、戸本体２を開放位置に停止保持できる。この状態から戸本体２をばね腕２９の弾性に抗して閉じ操作すると、摩擦ローラ２１が狭隘部Ｇをくぐりぬけて基端ブロック２８側へ移動するので、戸本体２はばねユニット６の閉じ力で自動的に閉止される。
【００２５】
上記のように途中停止装置Ｓは、戸本体２を開き操作するごとに停止機能を発揮して、戸本体２を開放位置に保持してしまう。この停止機能を必要時にのみ発揮させるために、途中停止装置Ｓの隣に切換装置Ｔを設けてある。
【００２６】
図６において切換装置Ｔは、上面および前面が開口するハウジング３４と、ハウジング３４で上下スライド自在に案内支持されて、上方の作動位置と下方の待機位置との間をスライドする作動体３５と、ハウジング３４と作動体３５との間に介装されて、作動体３５を押し上げ付勢する圧縮コイル形のばね３６と、作動体３５の上面にビス３７で締結固定される切換具３８と、作動体３５を下方の待機位置においてロック保持するロック機構３９と、作動体３５を切り換え操作する操作体４０とで構成する。
【００２７】
図７においてハウジング３４は、プラスチック成形品からなり、前面の開口縁の両側に張り出した取付部４２をビスでブラケット１６に締結固定する。作動体３５は、上下に長い長方形状のプラスチック成形品からなり、その下半側に板状の連結壁４３を備えている。連結壁４３は、ハウジング３４の内底に設けたスリット４４を介して、ハウジング３４の下面に突出しており、この突端に紐で形成される操作体４０が結びつけてある。操作体４０の下端には図１に示すごとく握り片４５が設けてある。
【００２８】
切換具３８は、水平のベース壁４６の一端前後にＬ字状の操作腕４７を折り曲げ形成したプレス金具からなる。操作腕４７の水平の腕部上面に、先の摩擦ローラ２１を持ち上げ操作する山形のカム４８を形成する。前後一対の操作腕４７は、途中停止装置Ｓのハウジング２０を前後から挟むように配置されて、そのカム４８が軸２４の下面下方に位置している。従って、作動体３５が上方移動するときは、図１０に示すように軸２４がガイド溝２５のどの位置にあってもカム４８で操作されて、左右のいずれか一方の溝端において横移動不能に保持固定される。
【００２９】
ロック機構３９は、プラスチック成形品からなる取付ベース５０と、取付ベース５０にピン５１で左右揺動自在に軸支されるロック爪５２と、ロック爪５２を時計回転方向へ揺動付勢する捻りコイル形のキックばね５３と、作動体３５の前面に固定した係止ピン５４などで構成する。
【００３０】
取付ベース５０はハウジング３４内に前面側から圧嵌装着される。そのために前面左側に側壁５５を設け、その外側面の上下３個所に圧嵌リブ５６を設けている。取付ベース５０の前面には、キックばね５３の一方のばね腕を受け止める受壁５７を設け、さらに右上隅にロック爪５２を受け止める突起５８を設けている。この突起５８の左方に、係止ピン５４の上下動を許す溝５９を設けている。
【００３１】
ロック爪５２は上縁に四半円状のカム面６１を有し、カム面６１の下端に連続して係止ピン５４の入り込みを許す係合溝６２を設け、係合溝６２の奥端に、係止ピン５４をもぐり込み案内する誘導片６３を斜め下向きに折り起こし形成したプレス金具からなる。ロック爪５２の側縁には、キックばね５３の他方のばね腕を受け止める掛止片６４が一体に折り曲げ形成してある。ロック爪５２はピン５１を中心にして左右揺動でき、さらに爪上端が取付ベース５０から離れる向きに前後傾動できる。この前後傾動によって、係合溝６２と係止ピン５４との係合状態を解除することができる。キックばね５３は、傾動したロック爪５２を、取付ベース５０と平行な姿勢に戻すためのばねを兼ねている。
【００３２】
次に切換装置Ｔによる途中停止装置Ｓの切り換え動作を説明する。図８に示すように作動体３５が下方の待機位置にあるとき、係止ピン５４は係合溝６２内に入り込んで、ロック爪５２を僅かに左方傾動した状態で受け止めている。このとき、操作腕４７はガイド溝２５より下方に位置している（図１参照）。この状態において、操作体４０をばね３６の押し上げ力に抗して引き下げ操作すると、作動体３５に同行して係止ピン５４も下方移動する。そのためロック爪５２は係止ピン５４に接当した状態のまま、時計回転方向へ徐々に揺動し、係止ピン５４が係合溝６２の下縁に接当した時点で、図６に示すように誘導片６３が係止ピン５４の突端に乗り上がる。相対的にみると、係止ピン５４は誘導片６３の裏面側へもぐり込む。
【００３３】
この状態で操作体４０の引き下げ力を解放すると、作動体３５はばね３６に押し上げられて上方の作動位置へ上方移動する。このとき、係止ピン５４は図２に示すように作動体３５に同行して、ロック爪５２を前方へ傾動させながら上方移動する。その結果、操作腕４７のカム４８が軸２４の前後端に接当して、図１０に示すように摩擦ローラ２１をガイド溝２５の側端の逃げ溝２６において保持固定し、ローラ周面を転動面２２から浮き離した状態にする。従って、この状態で戸本体２を開き操作しても、摩擦ローラ２１は横移動せず、戸本体２は自動閉止装置５で閉じ操作される。このとき、係止ピン５４は図９に示すようにロック爪５２の上端より上方へ抜け出ており、ロック爪５２は突起５８で受け止められて垂直に位置保持されている。
【００３４】
再び操作体４０をばね３６の弾性に抗して引き下げ操作すると、作動体３５の下方移動に同行して切換具３８および係止ピン５４が下降する。この下方移動で操作腕４７が軸２４から離れて、摩擦ローラ２１の拘束を解く。係止ピン５４はカム面６１に接当して、図１１に示すようにロック爪５２をキックばね５３の付勢力に抗しながら、反時計回転方向へ揺動操作する。係止ピン５４がカム面６１の下端より下方へ下降すると、係合溝６２が係止ピン５４と相対係合するように、ロック爪５２は時計回転方向へ揺動する。これにより、係止ピン５４は係合溝６２と係合して、作動体３５を図８に示す待機位置においてロック保持する。このように、ロック機構３９は操作体４０を引き下げ操作するだけで、循環的にロック状態とロック解除状態とに切り換えることができる。
【００３５】
上記の実施例においては、途中停止装置Ｓがランナー４用のガイドレール３を利用して、戸本体２を任意の開放位置で停止保持できるようにしたが、例えば、図１３および図１４に示すように、戸枠１の側に専用のガイドレール７０を設けておき、これを摩擦ローラ２１と、レール受７１とで上下に挟持する形態を採ることができる。
【００３６】
詳しくは、ハウジング２０内を横断するガイドレール７０の上側に摩擦ローラ２１と摩擦体２３とを配置し、レールの下側にレール受７１を配置する。摩擦体２３は板ばねで形成できる。レール受７１は、一対の挟持突起７２を有し、その下面に配置した調整ブロック７３をねじ７４で左右に移動操作することにより、挟持突起７２の上下位置を調整できる。この途中停止装置Ｓにおいても、摩擦ローラ２１の前後の軸２４を切換具３８で操作して、ローラ周面をガイドレール７０から浮き離すことにより、その停止作用を無効化することができる。
【００３７】
上記以外に、切換装置Ｔは途中停止装置Ｓに一体に組むことができる。摩擦体２３を切換具３８で変位操作し、あるいは変形させて、摩擦ローラ２１による停止機能を無効化することができる。操作体４０はロッドで形成してもよい。
【図面の簡単な説明】
【図１】途中停止装置および切換装置の正面図である。
【図２】自閉式引戸の概略正面図である。
【図３】途中停止装置の縦断正面図である。
【図４】途中停止装置の停止作動状態の縦断正面図である。
【図５】図４におけるＡ−Ａ線断面図である。
【図６】切換装置の内部正面図である。
【図７】切換装置の分解斜視図である。
【図８】ロック機構の作動状態を示す概略正面図である。
【図９】ロック機構の別の作動状態を示す概略正面図である。
【図１０】途中停止装置の停止機能を無効化した状態の正面図である。
【図１１】ロック機構のさらに別の作動状態を示す概略正面図である。
【図１２】ロック機構のロック解除途中状態を示す縦断側面図である。
【図１３】途中停止装置の別の実施例を示す縦断正面図である。
【図１４】図１３におけるＢ−Ｂ線断面図である。
【符号の説明】
３４  ハウジング
３５  作動体
３８  切換具
【図１】
0004212733.tif 000002
【図２】
0004212733.tif 000003
【図３】
0004212733.tif 000004
【図４】
0004212733.tif 000005
【図５】
0004212733.tif 000006
【図６】
0004212733.tif 000007
【図７】
0004212733.tif 000008
【図８】
0004212733.tif 000009
【図９】
0004212733.tif 000010
【図１０】
0004212733.tif 000011
【図１１】
0004212733.tif 000012
【図１２】
0004212733.tif 000013
【図１３】
0004212733.tif 000014
【図１４】
0004212733.tif 000015